(57)【要約】【課題】コンベア上を流れる印刷物等のワークを手で束状にして採取するときに受ける電撃を、高いコストを掛けずに簡単にかつ確実に防止することのできる電撃防止具を提供すること。【解決手段】プレート１と、そのプレート１に取り付けられた取っ手２と、取っ手２とともに取り付けられたアース線３とを備え、プレート１と取っ手２の少なくとも一方が導電性物質からなり、アース線３は導電性物質からなるプレート１と取っ手２のいずれかに接続されている。プレート１と取っ手２のいずれかに、吊るすためのばね４が取り付けられていることが好ましい。束を押さえる方の手に装着するが、事前に素手と接触状態にすることで簡単に人体を接地することができるので、人体に発生した静電気は瞬間的に接地側へ移動することにより束からの誘導による人体帯電が防止される。【選択図】図１
2009231156.tif 000002
【特許請求の範囲】
【請求項１】
コンベア上のワークを手で束状にして集める際に使用する電撃防止具であって、プレートと、そのプレートに取り付けられた取っ手と、取っ手とともに取り付けられたアース線とを備え、プレートと取っ手の少なくとも一方が導電性物質からなり、アース線は導電性物質からなるプレートと取っ手のいずれかに接続されていることを特徴とする電撃防止具。
【請求項２】
プレートと取っ手のいずれかに、吊るすためのばねが取り付けられていることを特徴とする請求項１に記載の電撃防止具。
【発明の詳細な説明】
【技術分野】
【０００１】
本発明は、静電気による電撃を防止する技術分野に属し、詳しくは、印刷現場での排紙工程等にて使用される電撃防止具に関するものである。
【背景技術】
【０００２】
従来より様々なタイプの印刷機が知られているが、それらの中でもオフセット輪転機は、新聞用、電話帳用、書籍出版印刷を含む一般商業用、ビジネスフォーム用などに広く使用されている。このオフセット輪転機では、印刷された印刷物（刷本）が折り機にて切断及び折り加工が施されコンベア上に刺身状になって排出される。そして、作業員は、印刷の出来具合を見るため、コンベア上を刺身状に流れてくる印刷物（折丁）を手でせき止め、束状にして印刷サンプルを採取する。このとき、作業員は静電気による電撃を受けて不快感を感じることが多い。
【０００３】
作業員が印刷サンプルを採取するときは、まず片手で刺身状の印刷物をせき止め、その手の上に印刷物を束状に溜めていき、もう一方の手で束を上から押さえてから束を上に持ち上げるという動作を行う。このときに電撃を受けるのであるがその原因は３つある。１つ目は、コンベア上において手で印刷物をせき止めて束状にしているときに、束状印刷物の帯電電位が上昇し、人体が誘導帯電して同時に近くの導体に放電して電撃を受けるというケースである。２つ目は、１つ目と同様なプロセスで人体が誘導帯電するが、近くに導体がないとそのまま静電気が人体に留まり、コンベアから離れて別の導体に近づいたときに放電して電撃を受けるというケースである。３つ目は、コンベア上において手で印刷物をせき止めて束状にしているときに、束状印刷物の帯電電位が上昇し、その束状印刷物が３０ｋＶ程度以上になったときに人体と束との間で直接放電が起こって電撃をうけるというケースである。
【０００４】
以上のことから、コンベア上において手で印刷物をせき止めて束状にしているときに電撃を受けないためには、人体を接地し、かつ、束状印刷物に接近する手などの露出箇所をカバーする必要がある。また、事前に除電器で印刷物を除電しても、印刷物を束状にするときに印刷物同士が擦れて摩擦帯電することで電位が上昇するため、電撃ショックは低減はできるが完全に防止することはできない。
【０００５】
現状では、電撃防止のためにいくつかの方法が採られている。例えば、人体接地を目的としたリストバンドを使用し、直接人体に電極を取り付けて接地する方法を採ることもあるし、また、同じく人体接地を目的とした導電床を採用したり、導電性靴を履く方法を採ることもある。或いは、電撃防止を目的とした手袋を使用する方法も採られている。
【０００６】
【特許文献１】特開平１−６３０９８号公報
【特許文献２】特開２００６−６３４５６号公報
【特許文献３】特開２００３−１５３７０３号公報
【特許文献４】特開２００３−２３０４０２号公報
【特許文献５】実用新案登録第２５５８４９１号公報
【特許文献６】特開２００６−６３４５６号公報
【発明の開示】
【発明が解決しようとする課題】
【０００７】
しかしながら、リストバンドにより直接人体に電極を取り付けて接地する方法によれば、人体の静電気は接地により無くなりはするが、この方法では装着や取外しの動作が必要であるため作業性に問題がある。また、導電床はそこに乗るだけで人体を除電できはするが、人体が装着する靴や下着類を静電対応とすることが必要で、コストがかかるという問題がある。また、靴や導電床は、インキや汚れが付着すると効果がなくなるため定期的に清掃や導電チェックが必要となる。また、手袋を使用する方法は、コンベア等の回転体が多い印刷現場では安全衛生上好ましくないし、装着や取外しの手間がかかる。また、片手を金属に触れたまま印刷物等のワークを束状に採取する方法もあるが、片手作業となり安全衛生上や作業性の観点からも好ましくない。
【０００８】
本発明は、このような事情に鑑みてなされたものであり、その目的とするところは、コンベア上を流れる印刷物等のワークを手で束状にして採取するときに受ける電撃を、高いコストを掛けずに簡単にかつ確実に防止することのできる電撃防止具を提供することにある。
【課題を解決するための手段】
【０００９】
上記の目的を達成するため、本発明は、コンベア上のワークを手で束状にして集める際に使用する電撃防止具であって、プレートと、そのプレートに取り付けられた取っ手と、取っ手とともに取り付けられたアース線とを備え、プレートと取っ手の少なくとも一方が導電性物質からなり、アース線は導電性物質からなるプレートと取っ手のいずれかに接続されていることを特徴としている。
【００１０】
そして、上記の構成からなる電撃防止具において、プレートと取っ手のいずれかに、吊るすためのばねが取り付けられている構成にすることが好ましい。
【発明の効果】
【００１１】
本発明の電撃防止具は、束を押さえる方の手に装着して使用するが、事前に素手と接触状態にすることで簡単に人体を接地することができるので、人体に発生した静電気は瞬間的に接地側へ移動することにより束からの誘導による人体帯電が防止される。また、ばねで上から吊るすことにより、アース線がコンベアに接近せず、巻込み等の事故の発生を防ぐことができる。また、取っ手を握ったり取っ手に手を通すだけで使用できるので、装置や取外しが手袋やリストバンドよりも簡単であるあり、制作コストや保守コスト、保守の手間が掛からないとうい利点もある。
【発明を実施するための最良の形態】
【００１２】
以下、具体例を挙げて本発明の実施の形態について説明する。
【００１３】
図１は本発明に係る電撃防止具の一例を手とともに示す平面図、図２は図１の平面図、図３は使用状態を示す説明図である。
【００１４】
図１の電撃防止具は、サイズが手のひらよりやや大きくコーナーが丸くなった四角状のプレート１と、そのプレート１に留め具により取り付けられた取っ手２と、取っ手２とともにプレート１に取り付けられたアース線３とを備えている。また、アース線３と同じところに吊るすためのバネ４が取り付けられている。
【００１５】
プレート１と取っ手２は、少なくとも一方を導電性物質で構成する。導電性物質としては、鉄、アルミニウム、銅などの金属が用いられる。そして、プレート１と取っ手２の両方が導電性物質からなる場合は、アース線３はいずれに接続させて取り付けてもよく、プレート１と取っ手２のいずれかが導電性物質からなる場合は、アース線３をその導電性物質からなる方に接続させて取り付ける。
【００１６】
アース線３とバネ４は、図３に示すように、使用時にはその反対側を折り機等の装置のフレーム１０にボルトで固定される。このとき、アース線３がコンベアベルト等に巻き込まれるのを防ぐため、アース線３とバネ４は印刷物Ｓを搬送するコンベアベルト１１及びそれを支持するコンベア板１２よりも上方に取り付ける。また、ばね４としては、電撃防止具から手を離したときに下に落ちないように、かつ、引っ張ったときにある程度伸びるようなものを選択する。このようにアース線３の取付け高さに依存するため、周りの状況を勘案してばね４の長さやばね定数を適宜決定する。なお、上部に適当な接地できる装置のフレームがない場合は、コンベア上部に接地用の金属棒などを別途設け、それにアース線３とバネ４を取り付けるようにする。
【００１７】
この電撃防止具は、図３に示すように、オフセット輪転機の折り機の排出コンベア上において使用する。そして、実際に使用するに際しては、取っ手２に手を通したり、取っ手２を握ったりして電撃防止具を保持する。このとき導電性物質からなるプレート１もしくは取っ手２に素手を接触させる。また、電撃防止具は、印刷物Ｓをせき止める方の手には装着せずに、束を押さえる方の手に装着する。そして、印刷物Ｓを集めるに際しては、電撃防止具を装着していない手で印刷物Ｓをせき止めて束状にし、目的の束の量になったら電撃防止具を装着したもう一方の手で電撃防止具ごと束を押さえて採取する。このとき電撃防止具のプレート１で印刷物Ｓの束を上から押し付けている状態となる。
【００１８】
このように、電撃防止具を事前に素手で持って導電性物質からなるプレート１もしくは取っ手２に接触することで、人体を接地状態とすることができ、印刷物Ｓの束からの誘導による人体帯電を防止できる。すなわち、人体に発生した静電気は瞬間的に接地側へ移動するので、放電による電撃を受けることがない。そして、ばね４で吊るした状態で電撃防止具を使用するので、アース線３がコンベアベルト１１に近接せず巻込み等の事故が発生しない。
【００１９】
以上、本発明の実施の形態について詳細に説明してきたが、本発明による電撃防止具は、上記実施の形態に何ら限定されるものではなく、本発明の趣旨を逸脱しない範囲において種々の変更が可能であることは当然のことである。
【図面の簡単な説明】
【００２０】
【図１】本発明に係る電撃防止具の一例を手とともに示す平面図である。
【図２】図１の平面図である。
【図３】図１及び図２に示す電撃防止具の使用状態を示す説明図である。
【符号の説明】
【００２１】
１  プレート
２  取っ手
３  アース線
４  バネ
１０  フレーム
１１  コンベアベルト
１２  コンベア板
【図１】
2009231156.tif 000003
【図２】
2009231156.tif 000004
【図３】
2009231156.tif 000005